(57)【要約】      （修正有）【課題】ペットを携行、同道し、野外等において給餌したりする際に便利であり、且つ使用後は使い捨てとすることができ、使い捨て後においては、可燃ゴミとして焼却することが可能で、エコの観点からも有利であり、更に軽量で携行に便利であり、且つ安価であるペット給餌用皿を提供する。【解決手段】環状の周壁部２と、周壁部２の上縁２ａから、内方且つ下方に半凹球状に潜るように形成された皿部３とからなり、周壁部２、円形の上縁部２ａ、皿部３の各部分を、表面を樹脂コーティングした紙材からなる紙を素材とした一枚の板紙をプレス加工して、各部全一体に形成したペット給餌用皿。【選択図】図２
0003177292.tif 000002
【実用新案登録請求の範囲】
【請求項１】
環状の周壁部２と、周壁部２の上縁２ａから、内方且つ下方に半凹球状に潜るように形成された皿部３とからなり、
前記周壁部２、円形の上縁部２ａ、皿部３の各部分を、表面を樹脂コーティングした紙材からなる紙を素材とした一枚の板紙をプレス加工して、各部全一体に形成した、
ことを特徴とするペット給餌用皿。
【請求項２】
前記周壁２は、裁頭円錐状であることを特徴とする請求項１記載のペット給餌用皿。
【請求項３】
前記皿部３は可撓性を有し、皿部の外底部３ａは、前記周壁部２の接地面よりも上方に位置し、ペットフード１０の収容前においては、皿部３の外底部３ｂが接地せず、ペットフードの収容時には、その重みで外底部３ｂが接地可能としたことを特徴とする請求項１または請求項２に記載のペット給餌用皿。
【請求項４】
前記皿部１０３の外底部１０３ｂは、ペットフードの収容前の状態で前記周壁部２の接地面と略々同高であり、ペットフードの収容前及び収容後において、皿部１０３の外底部１０３ｂが接地していることを特徴とする請求項１又は請求項２に記載のペット給餌用皿。
【請求項５】
前記周壁２の下端縁２ｂの全周には、外方に突出するフランジ４を一体に有し、前記フランジ部は、前記周壁の下端縁の全周にリング状に設けられていることを特徴とする請求項１〜請求項４の何れか１項に記載のペット給餌用皿。
【請求項６】
前記フランジ部４は、径方向外方部が上向きとなるように傾斜して上傾していることを特徴とする請求項５記載のペット給餌用皿。
【考案の詳細な説明】
【技術分野】
【０００１】
本考案は、犬、猫等のペットの給餌に用いる紙皿に関するものである。
【背景技術】
【０００２】
犬、猫等の給餌に用いる給餌用の皿は従来から知られている。
【先行技術文献】
【特許文献】
【０００３】
【特許文献１】実用新案登録第３０６６８２３号公報
【０００４】
特許文献１は、ペット用蟻防止食器皿に係り、立ち上がった周壁の上縁のフランジ部に、蟻侵入防止用の水入れ凹部を環状に有し、フランジ部の内部に、下方に潜る半球凹状の皿部を有し、給餌用皿は、給餌中に移動したり転倒するのを防止したりする目的もあって、ある程度重量をもたせるべく、合成樹脂、金属や瀬戸物で形成されている。
【０００５】
以上の特許文献１記載のペット用蟻防止食器皿以外に、立ち上がった裁頭円錐状の周壁の上端部に前記した凹部を有せず、内部に下方に潜る半球凹状の皿部を有するペット用の給餌用皿は一般に用いられており、洗浄しやすいこと、衛生的であること、発錆防止の見地からステンレス鋼板等で形成されているものが実用に供されている。
以上の特許文献１、またステンレス鋼板製のペット給餌用皿は、皿部に盛ったペットフード等の餌を、犬や猫が食べる際、鼻先や舌で餌を押すので、皿自身の重量もある程度あり、ペットの給餌時に移動したり、転倒したりするのを防止するものが好ましい。
【考案の概要】
【考案が解決しようとする課題】
【０００６】
しかしながら、従来技術（特許文献１）や他のペット給餌用皿は、材料が樹脂、金属や陶器であって、重量が嵩むこと、衛生保持上の見地から、給餌で汚れるため、使用後に、洗浄する必要がある。
このため、給餌毎に洗浄していたのでは、面倒、煩雑である。
また、実際のペット給餌用皿は、皿上に食べ残し等があったり、野外に放置することが多いことから汚れが酷くなり、洗浄が面倒であったり、また、ペットが給餌用皿を遊び具として用い、紛失したりする虞もある。
【０００７】
以上の外、ペット同伴して自動車によって外出する場合や、ペットを同伴して自動車旅行を行う場合等において、上記した樹脂、金属や陶器のペット給餌用皿を携行し、野外で給餌するのでは、給餌用皿の携行は皿自身がある程度重いこと、外形がある程度大きいこと等もあって携行に決して便利とはいえない。
また、外出先、旅行先において、汚れた給餌用皿を、給餌時毎に洗浄していたのでは、面倒、煩雑であり、特に、野外での給餌では、場所によっては、洗浄水が得られ難い場合があり、給餌用皿の洗浄に適しない場所もある。
この場合には、給餌後の汚れた皿を車内等に収容し、携行する必要があり、衛生的にも好ましくない。
【０００８】
本考案は、犬、猫等のペット用給餌用皿における以上の課題に鑑みなされたものである。
本考案は、ペットを携行、同道し、野外等において給餌したりする際に便利であり、且つ使用後は使い捨てとすることができ、使い捨て後においては、可燃ゴミとして焼却することが可能で、エコの観点からも有利であり、更に軽量で携行に便利であり、且つ安価であるペット給餌用皿を提供することを目的とする。
【課題を解決するための手段】
【０００９】
上記課題を解決するために、本考案は、ペット給餌用皿であって、環状の周壁部と、周壁部の円形の上縁から、内方且つ下方に半凹球状に潜るように形成された皿部とからなり、周壁部、円形の上縁部、皿部の各部分を、表面を樹脂コーティングした紙材からなる紙を素材とした一枚の板紙をプレス加工して、各部全一体に形成したことを特徴とする。
【００１０】
請求項２は、請求項１において、周壁は裁頭円錐状であることを特徴とする。
【００１１】
請求項３は、請求項１又は請求項２において、皿部は可撓性を有し、皿部の外底部は、周壁部の接地面よりも上方に位置し、ペットフードの収容前においては、皿部の外底部が接地せず、ペットフードの収容時には、その重みで外底部が接地可能としたことを特徴とする。
【００１２】
請求項４は、請求項１又は請求項２において、皿部の外底部は、ペットフードの収容前の状態で周壁部の接地面と略々同高であり、ペットフードの収容前及び収容後において、皿部の外底部が接地していることを特徴とする。
【００１３】
請求項５は、請求項１〜請求項４の何れか１項において、周壁の下端縁の全周には、外方に突出するフランジを一体に有し、フランジ部は、周壁の下端縁の全周にリング状に設けられていることを特徴とする。
【００１４】
請求項６は、請求項５において、フランジ部は、径方向外方部が上向きとなるように傾斜して上傾していることを特徴とする。
【考案の効果】
【００１５】
請求項１に係る考案では、ペット給餌用皿を、環状の周壁部と、周壁部の円形の上縁から、内方且つ下方に半凹球状に潜るように形成された皿部とからなり、周壁部、円形の上縁部、皿部の各部分を、表面を樹脂コーティングした紙材からなる紙を素材とした一枚の板紙をプレス加工して、各部全一体に形成したので、野外等への携行に際し、軽量で便利であること、給餌の使用後においては、洗浄等して再使用することなく、素材が紙なので使い捨てすることができること、従って、使用後の給餌用皿は、焼却したり、生ゴミと同様に処理することができること、この結果、エコ上極めて有利であること、紙のプレス成形品なので安価に製作することができ、安価なペット給餌用皿を得ることができる。
【００１６】
請求項２に係る考案では、周壁が裁頭円錐状なので、下側が大径で、上側がこれに比して小径なので、給餌用皿事態を上下に重ねて相互に嵌合させることができ、給餌用皿を成功、段積みして収容することができ、野外での給餌に際し、複数の給餌用皿を携行するに際し便利であり、複数段積み携行しても軽量であり、携行に便利である。
【００１７】
請求項３に係る考案では、皿部の外底部は、周壁部の接地面よりも上方に位置し、ペットフードの収容前においては、皿部の外底部が接地せず、ペットフードの収容時には、その重みで外底部が接地可能としたので、水分を含むペットフード等の重量があるペットフードを皿部で受けた場合は、皿部が撓んで外底部が接地することで接地抵抗が生じ、ペットが鼻先や舌でペットフォードを含む皿部を押しても移動を可及的に抑えることが可能である。
【００１８】
請求項４に係る考案では、皿部の外底部は、ペットフードの収容前の状態で周壁部の接地面と略々同高であり、ペットフードの収容前及び収容後において、皿部の外底部が接地しているので、乾燥した軽いペットフードを皿部で受けた場合でも、皿部の外底部が接地しているので接地抵抗が生じ、ペットが鼻先や舌でペットフォードを含む皿部を押しても移動を可及的に抑えることが可能である。
【００１９】
請求項５に係る考案では、周壁の下端縁の全周には、外方に突出するフランジを一体に有し、フランジ部は、周壁の下端縁の全周にリング状に設けられているので、周壁の接地する下端縁部の剛性がリブ効果で向上する。
【００２０】
請求項６に係る考案では、周壁の下端縁に全周に亘るように、一体に設けたフランジ部が、周壁下端部から径方向外方部が上向きとなるように傾斜して上傾しているので、周壁の接地する下端縁部の剛性アップのリブ効果が一層向上する。
【図面の簡単な説明】
【００２１】
【図１】本考案に係るペット給餌用皿の斜め上方から見た斜視図である。
【図２】ペット給餌用皿の縦断面図である。
【図３】ペット給餌用皿の積層、段積み状態を示す縦断面図である。
【図４】ペットの給餌を説明する縦断面図である。
【図５】本考案の他の実施例に係るペット給餌用皿の断面図である。
【図６】図５の実施例におけるペットの給餌を説明する縦断面図である。
【考案を実施するための形態】
【００２２】
本考案の実施の形態を添付図に基づいて以下に説明する。なお、図面は符号の向きに見るものとする。
図１は、本考案に係るペット給餌用皿の斜め上方から見た斜視図、図２は、図１に示したペット給餌用皿の縦断面図である。
ペット給餌用皿１は、表面を樹脂コーティングした紙材を円盤状に裁断し、円盤状の紙製ブランクをプレス成形して得る。
紙材は、例えば厚さ０，３５〜０．５ｍｍであり、樹脂コーティング材としては、例えば、ＰＰ（ポリプロピレン）を用いた。
【００２３】
給餌用皿１は、高さを有する環状（筒状）の周壁部２と、周壁部２の環状の上端縁部２ａの内側に下方に凹出する半凹球状に潜る皿部３からなる。
周壁部２は、実施例では、下端縁部２ｂが大径で、上端縁部２ａがこれより小径であって、裁頭円錐状をなす。
従って、下端部がスカート状に末広がりの形状をなす。
【００２４】
給餌用皿の皿部３は半球状に下方に凹出し、最も低い外底部３ｂの中央部は、周壁部２の下端縁部２ｂよりも上位に位置する。
外底部３ｂは、周壁部２の下端縁部２ｂよりもＨだけ高い位置である。
半球状の凹状皿部３の内面（表面）３ａにペットフードを収容する。
【００２５】
以上の給餌用皿１の周壁部２の下端縁部２ｂには、下端縁部２ｂから外方に折曲して延出するフランジ部４を全周に亘り設ける。
フランジ部４は、先端部４ａがフランジ部４が外方に延びる周壁部下端縁部２ｂに対し高位にあり、外方に上傾するように延出されている。
以上の周壁部２、皿部３、フランジ部４は、上記した紙材で各部全一体にプレス成形して形成されている。
【００２６】
図３は、ペット給餌用皿の積層、段積み状態を示す縦断面図である。
ペット給餌用皿１…は、上記した通り周壁部２が裁頭円錐状であり、上縁部から内側に半凹球状に皿部３…が形成され、板紙の周壁部２、皿部３、フランジ部４のみで他は開放されているので、周壁部２、皿部３と上下に積層して段積みすることができる。
この状態を図３で示した。
これにより、ペットを同道（携行）して旅行に出かけたり、野外に長時間連れ出す等して給餌する際、複数枚の給餌用皿１…をコンパクトに段積みして纏めて携行することができる。そして、素材が板紙なので軽量である。
【００２７】
図４は、ペットの給餌を説明する縦断面図である。
図の実施例は、ペットフード１０の収容前においては、皿部３の外底部３ｂが接地せず、ペットフードの収容時には、その重みで外底部３ｂが接地可能とした例を示しており、厚さや材料によって、皿部３が接地せず、図２の状態を維持してペットフードを収容するものも含む。
【００２８】
図４の実施例では、例えば、紙厚を加減し、或いは紙材を若干可撓性を有する材料とすることで、皿部３が若干可撓性を有することとなり、皿部３に缶詰等の水分を含むペットフード１０を収容した場合、ペットフードは、乾燥したドライフードと異なり重い。
ペットフード１０の重さで周壁部２が若干拡径し、皿部３の外底部３ｂの中央部が床面や地面５に接地する。
【００２９】
犬や猫は、口部を皿部３内に突っ込みようにして食べるが、この際、給餌用皿１を押す力が作用するが、皿部３の外底部３ｂの中央部が床面や地面５に接地しているので、接地方向に押し付けられ、接地抵抗で給餌用皿の移動は抑制される。
従って、ペットフード１０は、周囲に飛散することが抑制され、皿部３内に収容された状態で給餌させることができる。
本実施例では、このような利点がある。
【００３０】
図５は、本考案の他の実施例に係るペット給餌用皿の断面図である。
本実施例は、上記した実施例と基本構造が全く同じなので、同一部分には同一符号を付し、詳細な説明は省略する。
本実施例では、周壁２の上端縁部２ａの内側に形成される半凹球状の皿部１０５の外底部１０５ｂの中央部は、その高さが、周壁部２の下端縁部２ｂと同じレベルとしたものである。
【００３１】
給餌用皿１は、空の状態で床面や地面に置いた状態で、皿部１０３の外底部１０３ｂの中央部が床面や地面５に接地した状態となっている。
爾後、皿部１０５内に、例えば、乾燥したペットフード１１０を収容して、給餌に供する。この状態を図６に示した。
図４のように、犬や猫がドライフードを食した場合、皿部１０５の外底部１０５ｂは地面５に接触しているので、接地方向に押し付けられ、接地抵抗で給餌用皿の移動は抑制される。
従って、ペットフード１１０は、周囲に飛散することが抑制され、皿部１０３内に収容された状態で給餌させることができる。
【００３２】
ところで、本考案に係る給餌用皿を用いた野外等でのペットへの給餌後、皿は汚れるが、汚れた給餌用皿は、そのまま可燃性のゴミとして廃棄し、焼却処分することができる。  従って、使い捨てができて後処理が極めて容易であり、野外や旅先等での給餌用皿の洗浄を無くすことができ、そのまま紙成品としてゴミ袋に収容し、廃棄することができるので、エコ上有利である。
また、紙材のプレス成形品なので、安価に提供することができる。
更に、薄い紙材のプレス成形品なので、軽量であり、複数の給餌用皿を積層して軽量、コンパクトな状態で、旅先や野外への携行に至便である。
【産業上の利用可能性】
【００３３】
本考案は、犬や猫等のペットフードの給餌に利用することができる。
【符号の説明】
【００３４】
１…給餌用皿、  ２…周壁部、  ２ａ…周壁部の上縁、  ２ｂ…周壁部の下縁  ３，１０３…皿部、  ３ｂ，１０３ｂ…皿部の外底部、  ４…フランジ部、１０，１１０…ペットフード。
【図１】
0003177292.tif 000003
【図２】
0003177292.tif 000004
【図３】
0003177292.tif 000005
【図４】
0003177292.tif 000006
【図５】
0003177292.tif 000007
【図６】
0003177292.tif 000008